(57)【特許請求の範囲】
【請求項１】
長方形の格子枠体と、
この格子枠体の内部にそれぞれが平行に配置されており、それぞれの各端部が中空になった複数の格子バーと、
隣接する一対の格子バーのそれぞれの各端部間に位置するように、格子枠体にそれぞれ取り付けられており、それぞれの先端部が中空になった複数の連結ロッドと、
各連結ロッドの先端部内に挿入されるように直線状になった１つの連結体、および、この連結体の一方の端部における左右の各側部から、相互に隣接する一対の格子バーの各端部内にそれぞれ挿入されるように、連結体の延出方向とは反対方向にそれぞれ直線状に延出した一対のバー支持体をそれぞれ有する複数の格子バー支持具と、
を具備することを特徴とする格子。
【請求項２】
前記格子枠体は、ドア本体部内にガラス板が収容されてドア本体部に設けられた開口部からガラス板が露出した玄関ドアのドア本体部に設けられた開口部内に取り付けられている請求項１に記載の格子。
【発明の詳細な説明】
【０００１】
【発明の属する技術分野】
本発明は、長方形状をした格子枠体内に、直線状に延びる複数の格子バーが平行に配置された格子に関し、特に、ドア本体部内に収容されたガラス板の一部が、ドア本体部の正面に設けられた開口部から露出した玄関ドアにおいて、開口部から露出したガラス板の表面を保護するために設けられる格子に関する。
【０００２】
【従来の技術】
住宅の玄関に設けられた開口部を開閉するために配置される玄関ドアには、玄関内への採光のため、あるいは装飾のために、ドア本体部内にガラス板が設けられて、ドア本体部に設けられた開口部からガラス板の表面が露出されることがある。
【０００３】
このような玄関ドアでは、ドア本体部における屋外側（正面側）に設けられた開口部からガラス板が露出しているために、ガラス板が屋外から容易に破損されるおそれがある。このために、ドア本体部の開口部から屋外側に露出したガラス板の表面を覆う格子をドア本体部に取り付けることが行われている。
【０００４】
ドア本体部に取り付けられる格子としては、ガラス板が露出するドア本体部の開口部の周縁部に沿って配置される長方形状の格子枠体に、開口部から露出するガラス板の表面を覆うように、直線状に延びる複数の格子バーが、平行に配置されて構成されている。
【０００５】
【発明が解決しようとする課題】
このような格子は、ガラス板を保護するためには、多数の格子バーを配置することが好ましいが、格子バーの本数が多くなると、各格子バーを格子枠体に取り付ける作業が煩わしく、格子を容易に組み立てることができないという問題がある。
【０００６】
本発明は、このような問題を解決するものであり、その目的は、多数の格子バーを容易に格子枠体に取り付けることができる格子を提供することにある。
【０００７】
【課題を解決するための手段】
本発明の格子は、長方形の格子枠体と、この格子枠体の内部にそれぞれが平行に配置されており、それぞれの各端部が中空になった複数の格子バーと、隣接する一対の格子バーのそれぞれの各端部間に位置するように、格子枠体にそれぞれ取り付けられており、それぞれの先端部が中空になった複数の連結ロッドと、各連結ロッドの先端部内に挿入されるように直線状になった１つの連結体、および、この連結体の一方の端部における左右の各側部から、相互に隣接する一対の格子バーの各端部内にそれぞれ挿入されるように、連結体の延出方向とは反対方向にそれぞれ直線状に延出した一対のバー支持体をそれぞれ有する複数の格子バー支持具と、を具備することを特徴とする。
【０００８】
前記格子枠体は、ドア本体部内にガラス板が収容されてドア本体部に設けられた開口部からガラス板が露出した玄関ドアのドア本体部に設けられた開口部内に取り付けられている。
【０００９】
【発明の実施の形態】
以下、本発明の実施の形態を、図面に基づいて詳細に説明する。
【００１０】
図１は、本発明の格子が設けられた玄関ドアの実施の形態の一例を示す正面図である。この玄関ドアは、住宅の玄関に設けられた開口部を覆う玄関枠内に配置されて、玄関枠の内部を開閉するようになった平板状のドア本体部１０と、このドア本体部１０の正面側（屋外側）中央部に取り付けられた本発明の格子２０とを有している。
【００１１】
図２は、その玄関ドアの縦断面図、図３は、その玄関ドアの横断面図である。玄関ドアのドア本体部１０は、外周縁部を構成する長方形の枠状に構成された外枠体１１と、この外枠体１１の中央部に同心状態で配置された長方形枠状の開口枠体１２とを有している。
【００１２】
外枠体１１は、それぞれが水平に配置された上縁部枠１１ａおよび下縁部枠１１ｂと、上縁部枠１１ａおよび下縁部枠１１ｂの各端部同士を相互に連結するようにそれぞれ垂直に配置された左右の各側縁部枠１１ｃとによって、上下方向に長くなった長方形状に構成されている。
【００１３】
開口枠体１２は、外枠体１１の上縁部枠１１ａの下方に適当な間隔をあけて水平に配置された開口上部枠１２ａと、下縁部枠１１ｂの上方に適当な間隔をあけて水平に配置された開口下部枠１２ｂと、開口上部枠１２ａおよび開口下部枠１２ｂの各端部同士を相互に連結するようにそれぞれ垂直に配置された左右の各開口側部枠１２ｃとによって、外枠体１１と相似形状の上下方向に長くなった長方形状に構成されている。
【００１４】
外枠体１１と開口枠体１２との間の正面側（屋外側）部分および背面側（屋内側）部分は、それぞれ、正面パネル１３および背面パネル１４によって覆われている。
【００１５】
開口枠体１２の内部には、開口枠体１２よりも若干小さな長方形状をしたガラス板１５が垂直状態で支持されている。このガラス板１５の周縁部は、開口枠体１２の内周縁部に全周にわたって取り付けられたガラス支持枠体１６によって、全周にわたって支持されている。ガラス支持枠体１６も、それぞれが水平に配置された上部支持枠１６ａおよび下部支持枠１６ｂと、それぞれが垂直に配置された各側部支持枠１６ｃとによって、開口枠体１２の内周面に全周にわたって沿った長方形状に構成されている。
【００１６】
開口枠体１２の内周面には、ガラス支持枠体１６によって支持されたガラス板１５の正面側の表面を覆う格子２０が設けられている。格子２０は、開口枠体１２の内部に位置するように、ガラス支持枠１６における正面側の側面に支持された格子枠体２１と、格子枠体２１内に水平方向に適当な間隔をあけてそれぞれが垂直に支持された複数の格子バー２２とを有している。格子枠体２１は、ガラス支持枠１６上部支持枠１６ａおよび下部支持枠１６ｂにおける正面側の側面にそれぞれ取り付けられた上部格子枠２１ａおよび下部格子枠２１ｂと、ガラス支持枠１６の各側部支持枠１６ｃにおける正面側の側面にそれぞれ取り付けられた各側部格子枠２１ｃとによって長方形状に構成されている。
【００１７】
図４は、格子枠体２１内にそれぞれが垂直に配置された一対の格子バー２２の下端部の支持構造を示す正面図、図５は、図４のＡ−Ａ線における断面図、図６は、その分解斜視図である。格子枠体２１内に配置された各格子バー２２は、隣接する一対の下端部同士が１つの格子バー支持具３０によってそれぞれ支持されており、各格子バー支持具３０は、格子枠体２１の下部格子枠２１ｂにそれぞれ垂直に支持された長さが１４ｃｍ程度の連結ロッド２３によって、格子枠体２１内にそれぞれ支持されている。
【００１８】
なお、各格子バー２２の上端部も、格子枠体２１の上部格子枠２１ａに取り付けられた５本の連結ロッド２３によってそれぞれが格子枠体２１内に支持された５個の格子バー支持具３０によって、隣接する一対の各端部がそれぞれ同様に支持されている。従って、隣接する一対の格子バー２２の上端部は、隣接する一対の格子バー２２の下端部とは上下方向が反転した状態で、格子バー支持具３０によってそれぞれ支持されており、各格子バー支持具３０が、格子枠体２１の下部格子枠２１ｂに取り付けられた連結ロッド２３とは上下方向を反転した状態の連結ロッド２３によって、上部格子枠２１ａに取り付けられている。
【００１９】
格子枠体２１の下部格子枠２１ｂに取り付けられた各連結ロッド２３は、断面台形状の中空のアルミサッシによってそれぞれ構成されており、各端面がそれぞれ開口されている。各連結ロッド２３の左右の各側面の上部には、上端面から上方に開口した切欠溝部２３ａ（図６参照）が、上下方向に沿った状態でそれぞれ設けられている。また、連結ロッド２３の左右の各側面には、連結ロッド２３の切欠溝部２３ａにおける正面側（屋外側）に位置する側縁部に沿って突出するガイドリブ２３ｃが、全長にわたってそれぞれ設けられている。さらに、各連結ロッド２３の背面側（屋内側）における内側面には、断面円筒形状のネジ挿入溝２３ｂが、長手方向の全長にわたって設けられている。連結ロッド２３の下端面は、格子枠体２１の下側格子枠２１ｂに突き当てられて、ネジ挿入溝２３ｂ内に挿入されるビスによってその下側格子枠２１ｂに対してビス止めされている。
【００２０】
各連結ロッド２３には、１つの格子バー支持具３０が支持されており、各格子バー支持具３０によって、一対の格子バー２２の下端部が支持されている。バー支持具３０によって支持される一対の格子バー２２は、断面台形状の中空のアルミサッシによってそれぞれ構成されており、相互に対向する側面の下端部には、下端面から適当な長さにわたって長手方向に延びる切欠溝部２２ａ（図６参照）が、それぞれ形成されている。なお、バー支持具３０によって支持される一対の格子バー２２の相互に対向する側面の上端部にも、上端面から適当な長さにわたって長手方向に延びる切欠溝部２２ａが、それぞれ形成されている。
【００２１】
また、各格子バー２２の左右の各側面には、内方に突出するガイドリブ２２ｃが、全長にわたってそれぞれ設けられている。一方の側面に設けられたガイドリブ２２ｃは、格子バー２２の上端部および下端部にそれぞれ設けられた切欠溝部２２ａにおける正面側（ガラス板１５の遠方側）に位置する側縁部に沿って突出している。各格子バー２２の正面側に位置する側面の幅方向中央部には、断面半円形状に窪んだ凹部２２ｄが、長手方向の全長にわたって設けられている。また、各格子バー２２の背面の内側面には、断面円形状のネジ挿入溝部２２ｂが全長にわたって設けられている。
【００２２】
図７は、格子バー支持具３０の正面図、図８は、その平面図、図９は、図７のＢ−Ｂ線における断面図である。この格子バー支持具３０は、垂直に配置された連結ロッド２３の先端部内に嵌合されるように直線状に延びる連結体３２と、この連結体３２の下端部における左右の各側部にそれぞれの上端部が連結されて、連結体３２とは反対方向である下方にそれぞれ直線状に延びる一対のバー支持体３１とを有している。
【００２３】
格子バー支持具３０の連結体３２は、幅方向を左右方向として垂直に配置される平板状の連結本体部３２ａと、この連結本体部３２ａの上端面に垂直に設けられた平板状のストッパー３２ｂとを有している。連結本体部３２ａには、正面側および背面側にそれぞれ突出する左右各一対のリブ３２ｃが、上下方向に沿ってそれぞれ設けられている。各リブ３２ｃは、ストッパー３２ｂに近接した上端部が、それぞれ切欠された状態になっており、また、それぞれの切欠された部分の下側部分は、正面側および背面側にそれぞれ若干突出している。
【００２４】
左右各一対のバー支持体３１も、幅方向を左右方向として垂直方向に沿った平板状の支持本体部３１ａと、支持本体部３１ａの下端面にそれぞれ直交状態で設けられた平板状のストッパー３１ｂとを有している。各支持本体部３１ａは、連結体３２の連結本体部３２ａに対して背面側に若干ずれた状態で垂直に配置されており、各支持本体部３１ａの上端部と、連結本体部３２ａの下端部とが一体的に接合されている。
【００２５】
各バー支持体３１の支持本体部３１ａにも、正面側および背面側にそれぞれ突出する左右各一対のリブ３１ｃが、上下方向に沿ってそれぞれ設けられている。正面側に突出する各リブ３１ｃは、背面側に突出する各リブ３１ｃよりも、それぞれの突出量が大きくなっている。各リブ３１ｃは、ストッパー３１ｂに近接した下端部が、それぞれ切欠された状態になっており、また、それぞれの切欠された部分の下側部分は、正面側および背面側にそれぞれ若干突出している。各ストッパー３１ｂには、ネジ孔３１ｄがそれぞれ設けられている。
【００２６】
格子バー２２を格子枠２１に取り付ける際には、通常、格子バー支持具３０の連結体３２が、格子枠体２１の下部格子枠２１ｂに垂直に取り付けられる各連結ロッド２３内に挿入される。この場合、格子バー支持具３０の連結体３２は、下端部における各バー支持体３１との接続部が、連結ロッド２３の各側面における上端部に設けられた各切欠溝部２３ａ内にそれぞれ嵌合されて、連結体３２の上端部に設けられたストッパー３２ｂが、連結ロッド２３の上端面に突き当てられる。このような状態では、連結体３２における各リブ３２ｃの突出した上端部が連結ロッド２３の内側面に圧接されて、バー支持体３１と連結ロッド２３とが強固に嵌合された状態になる。そして、連結ロッド２３の左右の各側方に、格子バー支持具３０の各バー支持体３１が、それぞれ、連結ロッド２３と平行に配置される。
【００２７】
格子バー支持具３０に連結ロッド２３が連結された状態になると、格子バー支持具３０の各バー支持体３１には、格子バー２２の下端部がそれぞれ挿入される。各格子バー２２は、それぞれの一方の側面における下端部に設けられた各切欠溝部２２ａが、相互に対向した状態で、各バー支持体３１に挿入されており、各格子バー２２の切欠溝部２２ａ内には、格子バー支持具３０における各バー支持体３１と連結体３２との接続部分が嵌合する。各格子バー２２の下端面は、各バー支持体３１の下端部に設けられたストッパー３１ｂにそれぞれ突き当てられて、バー支持体３１における各リブ３１ｃの突出した下端部が、各格子バー２２の内側面に圧接される。これにより、各格子バー２２の下端部は、格子バー支持具３０のバー支持体３１に対して強固に嵌合された状態になり、このような状態で、バー支持体３１のストッパー３１ｂに設けられたネジ孔３１ｄ内にビスがそれぞれ挿入されて、各ビスが、各格子バー２２のネジ挿入溝２２ｂにそれぞれネジ結合される。これにより、連結体３２に連結ロッド２３が嵌合された格子バー支持具３０の各バー支持体３１に、格子バー２２の下端部がそれぞれ嵌合状態で支持される。
【００２８】
このようにして、一対の格子バー２２の下端部が、格子バー支持具３０のバー支持体３１にそれぞれ支持された状態になると、各格子バー２２の上端部も、同様に、１つの格子バー支持具３０のバー支持体３１にて支持されて、その格子バー支持具３０の連結体３２に連結ロッド２３が連結される。その後、一対の格子バー２２の上端部同士を連結する格子バー支持具３０に連結された連結ロッド２３が、格子枠体２１の上部格子枠２１ａにビス止めされるとともに、一対の格子バー２２の下端部同士を連結する格子バー支持具３０に連結された連結ロッド２３が、格子枠体２１の下部格子枠２１ｂにビス止めされる。これにより、一対の格子バー２２が格子枠体２１に取り付けられる。以下同様にして、一対の格子バー２２の各端部が、格子枠体２１に取り付けられることになる。
【００２９】
【発明の効果】
本発明の格子は、このように、一対の格子バーの各端部が、格子バー支持具によって支持された状態で、格子バー支持具に取り付けられた連結ロッドを格子枠体に取り付けることによって、一対の格子バーが格子枠体に取り付けられるために、格子の組立作業は著しく簡略化される。
【図面の簡単な説明】
【図１】本発明の格子が取り付けられた玄関ドアの実施の形態の一例を示す正面図である。
【図２】その玄関ドアの縦断面図である。
【図３】その玄関ドアの横断面図である。
【図４】その玄関ドアに取り付けられた本発明の格子における下部の要部を示す正面図である。
【図５】図４のＡ−Ａ線における断面図である。
【図６】図４に示す格子における下部の要部を分解して示す斜視図である。
【図７】その格子に用いられる格子バー支持具の正面図である。
【図８】その格子に用いられる格子バー支持具の平面図である。
【図９】図７のＢ−Ｂ線における断面図である。
【符号の説明】
１０  ドア本体部
１１  外枠体
１２  開口枠体
１３  正面パネル
１４  背面バネル
１５  ガラス板
１６  ガラス支持枠体
２０  格子
２１  格子枠体
２１ａ  上部格子枠
２１ｂ  下部格子枠
２１ｃ  側部格子枠
２２  格子バー
２３  連結ロッド
３０  格子バー支持具
３１  バー支持体
３２  連結体
【図１】
0003657094.tif 000002
【図２】
0003657094.tif 000003
【図３】
0003657094.tif 000004
【図４】
0003657094.tif 000005
【図５】
0003657094.tif 000006
【図６】
0003657094.tif 000007
【図７】
0003657094.tif 000008
【図８】
0003657094.tif 000009
【図９】
0003657094.tif 000010